(57)【特許請求の範囲】
【請求項１】
搬入されてきた用紙を搬送方向と直交する方向にオフセットして仕分けする仕分け手段を有する用紙処理装置であって、
前記仕分け手段が、
互いに接触しない位置に近接して配置された複数のシフトローラと、
前記複数のシフトローラの各々について、当該シフトローラと対となるローラに対して近接離間させる近接離間機構と、
前記近接離間機構を制御し、異なるシフトローラで用紙を交互にニップしてオフセットさせる制御手段と、
を備え、
複数のシフトローラのうちいずれか１本のシフトローラで用紙をニップしてオフセットし、次用紙は前記シフトローラとは異なるシフトローラによってニップしてオフセットする第１の動作モードと、
前記複数のシフトローラのうちいずれか１本のシフトローラのみを使用して用紙をオフセットする第２の動作モードと、
が設定され、
前記制御手段は、搬入されてくる紙間時間が予め設定された時間よりも短いときは、前記第１の動作モードを選択し、用紙をオフセットさせること
を特徴とする用紙処理装置。
【請求項２】
請求項１に記載の用紙処理装置であって、
前記予め設定された時間より短いとは、先行する用紙をシフトした後、元の位置に戻り、後行する用紙を同一のシフトローラでニップできない場合に相当すること
を特徴とする用紙処理装置。
【請求項３】
請求項１又は２記載の用紙処理装置であって、
前記制御手段は、前記シフトローラの下流側の排紙ローラを、前記シフトローラの離間動作に同期させて離間させること
を特徴とする用紙処理装置。
【請求項４】
請求項１ないし３のいずれか１項に記載の用紙処理装置を備えていることを特徴とする画像形成装置。
【請求項５】
請求項４記載の画像形成装置であって、
前記画像形成装置が画像読み取り装置と画像形成装置の本体部とを備え、
前記用紙処理装置が、前記本体部と、当該本体部上に設置された前記画像読み取り装置との間の空間部に配置されていること
を特徴とする画像形成装置。
【発明の詳細な説明】
【技術分野】
【０００１】
本発明は、搬入されてきたシート状記録媒体（本明細書では、「用紙」と称す）に対して所定の処理を施す用紙処理装置、及びこの用紙処理装置を備えた複写機、プリンタ、ファクシミリ、デジタル複合機などの画像形成装置に関する。
【背景技術】
【０００２】
用紙を排紙する際にシフトするシフト方式としてローラを使用したシフト方式が知られている。この種のシフト方式としては、例えば特許文献１（特開２００４−２５０２２９号公報）あるいは特許文献２（特開２００９−０１２９１０号公報）記載の発明が公知である。このうち、特許文献１には、１本のシフトローラによって用紙をオフセットする技術が開示され、特許文献２には、複数のシフトローラでオフセット量を分割する技術が開示されている。
【発明の概要】
【発明が解決しようとする課題】
【０００３】
ところで、前述のような１本のシフトローラによって用紙をオフセットする方式では、用紙をオフセットした後、紙間時間内でシフトローラを元の位置に戻し、次搬送用紙をオフセットする必要があり、本体の生産性が高くなって紙間時間が短くなると対応に限界があった。
【０００４】
また、シフトローラを複数備えてオフセット量を複数のシフトローラで分割してオフセットする方式では、紙間時間は短縮できるが、複数のシフトローラを並べて配置するために搬送距離が長くなる。
【０００５】
そこで、本発明が解決しようとする課題は、短い紙間時間でも搬送距離を伸ばすことなくシフト処理を可能とすることにある。
【課題を解決するための手段】
【０００６】
本発明は、上記目的を達成するために、搬入されてきた用紙を搬送方向と直交する方向にオフセットして仕分けする仕分け手段を有する用紙処理装置であって、前記仕分け手段が、互いに接触しない位置に近接して配置された複数のシフトローラと、前記複数のシフトローラの各々について、当該シフトローラと対となるローラに対して近接離間させる近接離間機構と、前記近接離間機構を制御し、異なるシフトローラで用紙を交互にニップしてオフセットさせる制御手段と、を備え、複数のシフトローラのうちいずれか１本のシフトローラで用紙をニップしてオフセットし、次用紙は前記シフトローラとは異なるシフトローラによってニップしてオフセットする第１の動作モードと、前記複数のシフトローラのうちいずれか１本のシフトローラのみを使用して用紙をオフセットする第２の動作モードと、が設定され、前記制御手段は、搬入されてくる紙間時間が予め設定された時間よりも短いときは、前記第１の動作モードを選択し、用紙をオフセットさせることを特徴とする。
【００１２】
なお、後述の実施形態では、仕分け手段は第１及び第２のシフトローラ９ａ，９ｂ、２０３ａ，２０３ｂに、用紙処理装置は符号２００に、近接離間機構は第１及び第２の近接離間機構２１ａ，２１ｂに、制御手段はＣＰＵ４０１に、排紙ローラは符号１０若しくは排紙従動ローラ２０５ａに、画像形成装置は符号１００に、画像読み取り装置は符号３００に、空間部は画像形成装置１００の排紙トレイ１８０の上の空間に、それぞれ対応する。
【発明の効果】
【００１３】
本発明によれば、短い紙間時間でも搬送距離を伸ばすことなくシフト処理を行うことができる。
【図面の簡単な説明】
【００１４】
【図１】本発明の実施形態における実施例１に係る用紙処理装置と画像形成装置からなるシステムのシステム構成を示す概略構成図である。
【図２】図１におけるシフトローラを２本のローラ構成としたソート搬送路の概略構成を示す図である。
【図３】実施例１における紙間時間が短い場合に、排紙ローラがニップした状態で用紙を受け入れ、用紙をオフセットする前に離間するときの用紙とローラの動きを上方から見た平面図である。
【図４】図３の状態からシフトされたときの状態を示す平面図である。
【図５】１枚目の用紙がオフセットされた後のローラの動きを装置正面から見た図である。
【図６】１枚目の用紙をオフセットした後に２枚目の用紙を受け入れたときの状態を示す平面図である。
【図７】２枚目の用紙をオフセットするときのローラの動きを装置正面から見た図である。
【図８】２枚目の用紙が第２シフトローラによって装置奥側にオフセットされる状態を示す平面図である。
【図９】２枚目の用紙がオフセットされた後のローラの動きを装置正面から見た図である。
【図１０】２枚目の用紙をオフセットした後に３枚目の用紙を受け入れたときの状態を示す図である。
【図１１】３枚目の用紙をオフセットするときのローラの動きを装置正面から見た図である。
【図１２】３枚目の用紙が第１シフトローラによって装置奥側にオフセットされる状態を示す図である。
【図１３】実施例１における紙間時間が長い場合のシフト動作の状態を示す平面図である。
【図１４】実施例２に係る画像形成装置のシステム構成を示す図である。
【図１５】実施例２における用紙処理装置の平面図である。
【図１６】実施例２における用紙処理装置の概略構成を示す正面図である。
【図１７】実施例２におけるシステムの制御構成を示すブロック図である。
【発明を実施するための形態】
【００１５】
本発明は、複数のシフトローラを設置し、短い紙間時間でも搬送距離を伸ばすことなくシフト処理を行うことができるようにしたものである。以下、本発明の実施形態について、図面を参照しながら説明する。
【実施例１】
【００１６】
図１は実施例１に係る用紙処理装置と画像形成装置、例えば複写機からなる画像形成システムの構成を示す概略構成図である。同図において、本システムは画像形成装置１００と用紙処理装置２００とからなる。本実施形態における用紙処理装置２００は画像形成装置１００から搬入された用紙を
１）そのまま排紙
２）シフト（仕分け）して排紙
３）綴じて排紙
するという機能を有する。それゆえ、用紙後処理装置とも称される。
【００１７】
用紙処理装置２００は用紙処理について、１）のそのまま排紙する場合には、用紙は入口搬送路３１からプルーフ搬送路３２を経てプルーフトレイ８へ、２）のシフトして排紙する場合には、用紙は入口搬送路３１からソート搬送路３３を経てシフトローラ９によって所定量オフセットした後、積載トレイ１１へ、３）の綴じて排紙する場合には、用紙は入口搬送路３１からスティプル搬送路３４及びスティプルトレイ１６を経て積載トレイ１１へと排紙される。
【００１８】
このため、入口搬送路３１は最上流部に入口ガイド板１を備え、第１及び第２分岐爪４，５に至る前の搬送路に第１及び第２搬送ローラ２，３を備えている。プルーフ搬送路３２は第１及び第２分岐爪４，５の両者とも図示時計方向に回動して開放される上方に分岐した搬送路であり、第３搬送ローラ６及び排紙ローラ７を備え、排紙ローラ７からプルーフトレイ８に用紙を排出する。
【００１９】
ソート搬送路３２は第１分岐爪４が図示反時計方向に、第２分岐爪５が時計方向にそれぞれ回動して開放されるストレート排紙の搬送路であり、ソート動作を行わせる場合には、用紙はシフトローラ９によって搬送方向と直交する方向に所定量シフトした後、排紙ローラ１０から排紙される。
【００２０】
スティプル搬送路３４は用紙束をスティプルするための搬送路であり、第４ないし第６の搬送ローラ１２，１３，１４、スティプル排紙ローラ１５を備え、用紙をスティプルトレイ１６に排紙した後、排紙される毎に叩きコロ１７により用紙後端を基準フェンス１８側に叩き落とし、用紙後端を基準フェンス１８基準に用紙搬送方向を整合し、ジョガーフェンス１９によって用紙搬送方向と直交する方向を整合する。１部に相当する枚数が排紙されるたび、同様の動作を繰り返し、１部の最終枚の用紙の整合動作が終了した時点でスティプラ２０によって用紙後端部の所定位置に綴じ針を打ち込んで、綴じ処理が行われる。綴じられた用紙束は、図示しない放出爪によって排紙ローラ１０位置まで持ち上げられ、排紙ローラ１０によって積載トレイ１１に排紙される。
【００２１】
図２ないし図１３は図１におけるシフトローラ９を２本のローラ構成とした本実施形態におけるソート搬送路の概略構成を示す図である。本実施形態では、図１におけるシフトローラ９を用紙搬送方向上流側の第１シフトローラ９ａと下流側の第２シフトローラ９ｂの２本のシフトローラから構成し、それぞれについてカムとリンクとからなる第１及び第２の近接離間機構２１ａ，２１ｂを設け、従動側のローラを駆動側のローラに対してニップした状態と離間した状態を任意に設定できるようにしている。なお、用紙をシフトする際に排紙ローラ１０に用紙がニップされると、シフト不能であり、用紙ジャムの原因にもなるので、排紙ローラ１０も図示はしないが同様の機構により従動側のローラが駆動側のローラに対して近接離間できるようになっている。
【００２２】
前記第１及び第２の２本のシフトローラ９ａ，９ｂによる用紙のオフセット動作は以下のようにして行われる。
【００２３】
・紙間時間が短い場合
図２は１枚目の用紙を受け入れるところから用紙をオフセットするまでの第２搬送ローラ３、第１シフトローラ９ａ、第２シフトローラ９ｂ及び排紙ローラ１０の位置関係を正面から見た図である。用紙は図示矢印Ｄ１方向に搬送される。この状態では、第１シフトローラ９ａがニップ状態、第２シフトローラ９ｂが離間状態であり、それぞれ前記第１及び第２の近接離間機構２１ａ，２１ｂにより自由に離間可能となっている。
【００２４】
排紙ローラ１０はニップした状態で用紙を受け入れ、用紙をオフセットする前に離間する。図３及び図４はその間の用紙とローラの動きを上方から見た平面図である。図３は１枚目の用紙Ｓ１が搬送されてきたところである。このとき、排紙ローラ１０はニップされている。図４は１枚目の用紙Ｓ１が第１シフトローラ９ａによって奥側にオフセットされる状態を示す。すなわち、第１シフトローラ９ａが矢印Ｄ２方向にシフト（用紙搬送方向と直交する方向に移動）し、これに伴って用紙Ｓ１は搬送されながら矢印Ｄ３方向へ移動する。このとき第２シフトローラ９ｂに加えて排紙ローラ１０も離間している。なお、シフト機構は前述の特許文献１及び２等にも開示されているように公知の技術であり、本発明はシフトローラのシフト機構そのものに特徴があるわけではないので、ここではシフト機構についての説明は省略する。
【００２５】
図５は１枚目の用紙がオフセットされた後のローラの動きを装置正面から見た図である。１枚目の用紙をオフセットした後、離間していた第２シフトローラ９ｂと排紙ローラ１０はニップする。その状態での用紙とローラの動きを上方から見た図が図６である。図６は１枚目の用紙Ｓ１をオフセットした後に２枚目の用紙Ｓ２を受け入れたところである。図５から第１及び第２のシフトローラ９ａ，９ｂが同時に同じ用紙をニップしていないことが分かる。
【００２６】
図７は２枚目の用紙をオフセットするときのローラの動きを装置正面から見た図である。２枚目の用紙をオフセットする前に第１シフトローラ９ａと排紙ローラ１０を離間する。その状態での用紙とローラの動きを上面から見た図が図８である。図８は２枚目の用紙Ｓ２が第２シフトローラ９ｂによって奥側にオフセットされる（矢印Ｄ２方向）状態を示す平面図である。このとき、離間しているシフトローラ９ａを元の位置に戻す（矢印Ｄ４方向）。
【００２７】
図９は２枚目の用紙がオフセットされた後のローラの動きを装置正面から見た図である。２枚目の用紙をオフセットした後、離間していた第１シフトローラ９ａと排紙ローラ１０はニップする。その状態での用紙とローラの動きを上方から見た図が図１０である。図１０は２枚目の用紙Ｓ２をオフセットした後に３枚目の用紙Ｓ３を受け入れたところである。
【００２８】
図１１は３枚目の用紙をオフセットするときのローラの動きを装置正面から見た図である。３枚目の用紙をオフセットする前に第２シフトローラ９ｂを離間させる。その状態での用紙とローラの動きを上方から見た図が図１２である。図１２は３枚目の用紙Ｓ３が第１シフトローラ９ａによって装置奥側にオフセットされる状態を示す。このとき、離間している第２シフトローラ９ｂを元の位置に戻す。
【００２９】
以上のようにして図２から図１２に示した第１及び第２のシフトローラ９ａ，９ｂの離間近接動作とシフト動作を用紙１枚毎に１部分繰り返すことにより、１部毎のシフト動作が可能となる。
【００３０】
・紙間時間が長い場合
紙間時間が長い場合には、図２から図４の用紙をオフセットするまでは紙間時間が短い場合と同じ動作である。その後は第２シフトローラ９ｂを使用する必要がないので離間させたままにし、図１３のように従来通り１枚目の用紙Ｓ１と２枚目の用紙Ｓ２の間でシフトローラ９ａをニップさせたままで中央へ戻し（矢印Ｄ４方向）、次用紙を中央でニップしてオフセットさせるという動作を繰り返すことになる。
【００３１】
この実施例１では、紙間時間が短いとは、先行する用紙をシフトした後、元の位置に戻り、後行する用紙を同一のローラでニップできない場合に相当し、紙間時間が長いとは、先行する用紙をシフトした後、元の位置に戻り、後行する用紙を同一のローラでニップできる場合に相当する。
【実施例２】
【００３２】
図１４は画像読み取り装置と画像形成装置の間の空間に２本のシフトローラ２０３ａ，２０３ｂを備えた用紙処理装置を配置した実施例２に係る画像形成装置の例を示す図、図１５は用紙処理装置２００の平面図、図１６は概略構成を示す正面図である。
【００３３】
同図において、本実施例２に係る画像形成システムは画像形成装置１００、用紙処理装置２００、及び画像読み取り装置３００から構成されている。
【００３４】
画像形成装置１００は、間接転写方式のタンデム型カラー画像形成装置であり、図においてほぼ中央部に４色の作像ステーション１１１が配置された作像部１１０、この作像部１１０の下方に隣接して設けられた光書き込み部１１３、作像部１１０の下方に設けられた給紙部１２０、給紙部１２０でピックアップされた用紙を２次転写部１４０及び定着部１５０に搬送する給紙搬送路（縦搬送路）１３０、画像が定着された用紙を用紙処理装置２００側に搬送する排紙経路１６０、一面に画像が形成された用紙を反転し、他面に画像形成させるための両面搬送路１７０を備えている。
【００３５】
作像部１１０は、前記作像ステーション１１１のＹＭＣＫ各色用の感光体ドラムと、この感光体ドラムの外周に沿って配置された帯電ユニット、現像ユニット、１次転写ユニット、クリーニングユニット、及び除電ユニットと、感光体ドラムに形成された画像を１次転写ユニットによって中間転写する中間転写ベルト１１２と、感光体ドラムに色毎に画像を書き込む光書き込みユニット１１３とを備えている。光書き込み部１１３は、作像ステーション１１１の下側に配置され、中間転写ベルト１１２は作像ステーション１１１の上側に配置されている。中間転写ベルト１１２は複数の支持ローラによって回転可能に支持され、そのうちの１つの支持ローラ１１４は２次転写部１４０で中間転写ベルト１１２を介して２次転写ローラ１１５と対向し、中間転写ベルト１１２上の画像を用紙に２次転写できるようになっている。なお、間接転写方式のタンデム型カラー画像形成装置の画像形成プロセスは公知であり、本発明の要旨とは直接関係しないので、詳細な説明は省略する。
【００３６】
給紙部１２０は給紙トレイ１２１、ピックアップローラ１２２、給紙搬送ローラ１２３を備え、給紙トレイ１２１からピックアップした用紙を縦搬送路１３０に沿って上方に送り出す。送り出された用紙は２次転写部１４０で画像が転写され、定着部１５０に送られる。定着部１５０は定着ローラと加圧ローラを備え、用紙が両者間のニップを通過する過程で、加熱及び加圧が行われ、トナーが用紙に定着される。
【００３７】
定着部１５０の下流には、排紙搬送路１６０と両面搬送路１７０が設けられ、両者は分岐爪１６１によって２方向に分岐し、用紙処理装置２００側に搬送される場合と、両面搬送路１７０に搬送される場合とで搬送路が選択される。なお、分岐爪１６１の用紙搬送方向上流側の直近には分岐搬送ローラ１６２が設けられ、用紙へ搬送力を付与している。
【００３８】
用紙処理装置２００は、画像形成装置１００の内部に配置され、あるいは画像形成装置１００の排紙トレイ（筐体トレイ）１８０上に装着され、画像形成装置１００から搬送された画像形成済み用紙に所定の処理を施し、最下流に位置する排紙トレイ２０６に積載するもので、詳細については後述する。なお、図１に示すように画像読み取り装置３００を備えた場合には、用紙処理装置２００は、画像形成装置１００と画像読み取り装置３００との間であって、画像形成装置１００の筐体の上面に形成された排紙トレイ１８０、所謂筐体トレイ上の本来空間部であった部分に装着される。これにより、空間の有効利用を図り、省スペース化を促進することができる。
【００３９】
画像読み取り装置３００は、コンタクトガラス上にセットされた原稿を光走査して原稿面の画像を読み取る公知のものである。画像読み取り装置３００自体の構成及び機能は公知であり、本発明の要旨とは直接関係しないので、詳細な説明は省略する。
【００４０】
図１５において、用紙処理装置２００は、用紙搬送方向上流側から入口ローラ対２０２、後端基準フェンス２１２、ジョガー２１３、スティプラ２１５、手前側基準フェンス２１４、第１及び第２シフトローラ２０３ａ，２０３ｂ、叩きコロ２１０、排紙ローラ２０５、排紙従動ローラ２０５ａ、用紙後端押さえ２０８、排紙トレイ可動部２０７、及び排紙トレイ２０６を備えている。
【００４１】
また、図１６から分かるように、用紙処理装置２００は、ガイド板２０１、スティプルトレイ２０９、後端戻しコロ２１１、後端基準フェンス２１２、ジョガーフェンス２１３、排紙開閉ガイド板２０４も備えている。
【００４２】
すなわち、用紙処理装置２００の用紙受け入れ部には画像形成装置１００の排紙搬送路から用紙を受け入れるガイド板２０１が配置され、このガイド板２０１の用紙搬送方向最上流側に入口ローラ対２０２が配置され、最下流側に排紙トレイ２０６に用紙をシフトして排紙する機能を有する第１及び第２シフトローラ２０３ａ，２０３ｂが設けられ、図示しない入口モータにより入口ローラ対２０２及びシフトローラ２０３ａ，２０３ｂを回転させることによってガイド板２０１に沿って用紙を搬送する。
【００４３】
この実施例の場合、第１及び第２シフトローラ２０３ａ，２０３ｂも近接離間機構をそれぞれ有し、実施例１の第１及び第２シフトローラ９ａ，９ｂと同等に動作し、同等に機能するので、動作についての説明は省略する。
【００４４】
図１７は実施例２に係るシステムの制御構成を示すブロック図である。
【００４５】
同図において、画像形成装置１００の制御はＣＰＵ４１１、ＲＯＭ４１２、ＲＡＭ４１３、不揮発ＲＡＭ４１４、シリアルＩ／Ｆ４１５、タイマ４１６などを内蔵した画像形成装置制御部４１０によって実行される。制御のためのプログラムコードはＲＯＭ４１２に格納され、ＣＰＵ４１１はプログラムコードをＲＡＭ４１３に展開し、制御に必要なデータをＲＡＭ４１３に記憶し、当該ＲＡＭをワークエリアとして使用しながら前記プログラムコードによって定義されたプログラムを実行し、各部を制御する。
【００４６】
画像形成装置制御部４１０には、感光体などの作像部１１０で使用されるモータ、給紙部１２０、給紙搬送路１３０、両面搬送路１７０における各種モータやクラッチなどの各種直流負荷４５０、各種交流負荷４７０、定着ローラの温度を検出する温度センサなどの各種センサ４６０が接続されている。また、画像読み取り装置３００、及び操作表示部４４０が接続され、画像形成装置制御部４０７を介して各部が制御される。
【００４７】
用紙処理装置２００の制御は、ＣＰＵ４０１、ＲＯＭ４０２、ＲＡＭ４０３、シリアルＩ／Ｆ４０４、タイマ４０５などを内蔵した用紙処理装置制御部４００によって実行される。制御のためのプログラムコードはＲＯＭ４０２に格納され、ＣＰＵ４０１はプログラムコードをＲＡＭ４０３に展開し、制御に必要なデータをＲＡＭ４０３に記憶し、当該ＲＡＭをワークエリアとして使用しながら前記プログラムコードによって定義される制御を実行し、各種直流負荷４２０の制御を行っている。なお、前記第１及び第２シフトローラ２０３ａ，２０３ｂをシフト動作させる図示しないシフトモータ、及び前記入口モータはステッピングモータなどのＤＣモータが使用されていることから、前記ＣＰＵ４０１で制御される。実施例１における第１及び第２シフトローラ９ａ，９ｂも同様にして図示しない制御回路のＣＰＵによって制御され、用紙のソートが実行される。
【００４８】
用紙処理装置２００のＣＰＵ４０１は画像形成装置１００の制御部４１０から用紙サイズ、紙間時間及び線速などの情報をシリアルＩ／Ｆ４１５，４０４を介して受け取り、画像形成装置１００から連続して送られてくる用紙を、前記第１及び第２シフトローラ２０３ａ，２０３ｂのいずれか１本のシフトローラによりオフセットし、次用紙は前記シフトローラとは異なるシフトローラにてオフセットする動作方法と、前記第１及び第２シフトローラ２０３ａ，２０３ｂのいずれか１本のシフトローラのみを使用して用紙をオフセットする動作方法のいずれかを選択することができる。この選択制御により無駄な電力の消費を抑えることが可能となり、省電力化を図ることができる。なお、実施例１のシステムにおいても同様である。また、前記紙間が短い場合と紙間が長い場合についても、前述のように先行する用紙をシフトした後、元の位置に戻り、後行する用紙を同一のローラでニップできるかどうかで判定され、この判定に前記用紙サイズ、紙間時間及び線速などの情報が使用される。なお、基本的には、前記情報は、先行する用紙をシフトした後、元の位置に戻り、後行する用紙を同一のローラでニップできるかどうかの判定に使用される。
【００４９】
また、実施例１及び実施例２ともシフトローラは２本使用しているが、前述のシフト制御を行うためには少なくとも２本必要であり、必要に応じてそれ以上のシフトローラを使用しても良いことは言うまでもない。
【００５０】
以上のように、本実施形態によれば、
１）２本のシフトローラ９ａ、９ｂ、２０３ａ，２０３ｂは互いに接触しない位置関係で接近した間隔で配置され、それぞれ個別に離間可能に設けられているので、前記シフトローラのうちの１本により用紙をオフセットした後、前記シフトローラを元の位置に戻すのを待つことなく、前記シフトローラとは別の前記複数のシフトローラのうちの１本により次用紙のオフセットができる。さらに、次用紙をオフセットしている間に前記１本目のシフトローラを離間させた状態で元の位置に戻して、次搬送用紙に備えることができるため、紙間時間が非常に短くてもシフトさせることができる。これにより、高生産性を実現することが可能となる。  
２）用紙処理装置２００のＣＰＵ４０１は画像形成装置１００側から受け取った用紙サイズ、紙間及び線速などの情報に基づいて画像形成装置１００側から連続して送られてくる用紙を、前記複数のシフトローラのうちいずれか１本のシフトローラにより用紙をオフセットし、次用紙は前記シフトローラとは異なるシフトローラにてオフセットする動作方法と、前記複数のシフトローラのうちいずれか１本のシフトローラのみを使用して用紙をオフセットする動作方法を選択することができる。このように動作方法を画像形成装置１００側からの情報に基づき選択的に決定し、シフト動作を行うので、省電力化を促進することが可能となる。  
３）画像読み取り装置（画像読み取り部）と画像形成装置（画像形成部）との間の空間に用紙処理装置を配置したので、省スペース化を実現できる。  
等の効果を奏する。
【００５１】
なお、本発明は本実施形態に限定されるものではなく種々の変形が可能であり、特許請求の範囲に記載された技術思想に含まれる技術的事項の全てが本発明の対象となることは言うまでもない。
【符号の説明】
【００５２】
１０  排紙ローラ
９ａ，９ｂ、２０３ａ，２０３ｂ  第１及び第２のシフトローラ
２１ａ，２１ｂ  第１及び第２の近接離間機構
１００  画像形成装置
２００  用紙処理装置
２０５ａ  排紙従動ローラ
３００  画像読み取り装置
４０１  ＣＰＵ
【先行技術文献】
【特許文献】
【００５３】
【特許文献１】特開２００４−２５０２２９号公報
【特許文献２】特開２００９−０１２９１０号公報
【図１４】
0005544956.tif 000002
【図１５】
0005544956.tif 000003
【図１６】
0005544956.tif 000004
【図１７】
0005544956.tif 000005
【図１】
0005544956.tif 000006
【図２】
0005544956.tif 000007
【図３】
0005544956.tif 000008
【図４】
0005544956.tif 000009
【図５】
0005544956.tif 000010
【図６】
0005544956.tif 000011
【図７】
0005544956.tif 000012
【図８】
0005544956.tif 000013
【図９】
0005544956.tif 000014
【図１０】
0005544956.tif 000015
【図１１】
0005544956.tif 000016
【図１２】
0005544956.tif 000017
【図１３】
0005544956.tif 000018